(57)【要約】【課題】この発明は、装着されている光ディスクに対して所定の高速記録速度での試し書きによる記録パワーの制御が行なわれていれば、新規な高速記録速度を選定した場合にその速度での試し書きによる記録パワーの制御を省略することを可能とし、ユーザにとっての使い勝手を便利にし得る光ディスク装置とその記録パワー制御方法を提供することを目的としている。【解決手段】所定の高速記録速度Ｓｉでの最適記録パワーＰ（Ｓｉ）を試し書きによって求める。そして、新たな高速記録速度Ｓｊでの記録が要求されたときには、高速記録速度Ｓｉにおける最適記録パワーＰ（Ｓｉ）に、予め設定された係数Ｆ（Ｓｉ，Ｓｊ）を乗算して、新規な高速記録速度Ｓｊにおける最適記録パワーＰ（Ｓｊ）を求める。【選択図】　　図１
2004005834.tif 000002
【特許請求の範囲】
【請求項１】
光ディスクに対して複数種類の高速記録速度から選定した高速記録速度でのデータ記録を行なう光ディスク装置において、
前記複数種類の高速記録速度のうち第１の高速記録速度での試し書きによる記録パワーの設定を行なう第１の記録パワー設定手段と、
前記複数種類の高速記録速度のうち前記第１の高速記録速度以外の第２の高速記録速度での前記光ディスクに対するデータ記録が要求された状態で、前記第１の記録パワー設定手段で設定された記録パワーに、前記第１の高速記録速度から前記第２の高速記録速度に切り替えることに対応させて予め設定された係数を乗算し、前記第２の高速記録速度における記録パワーの設定を行なう第２の記録パワー設定手段とを具備してなることを特徴とする光ディスク装置。
【請求項２】
前記第２の記録パワー設定手段における係数は、前記第１の高速記録速度に対する前記第２の高速記録速度の倍率をα（０＜α＜１）乗して設定されることを特徴とする請求項１記載の光ディスク装置。
【請求項３】
前記第２の記録パワー設定手段における係数は、前記複数種類の高速記録速度の全ての速度切り替えの組み合わせに対応して予め設定されていることを特徴とする請求項１記載の光ディスク装置。
【請求項４】
前記複数種類の高速記録速度は、標準記録速度の整数倍として設定されていることを特徴とする請求項１記載の光ディスク装置。
【請求項５】
前記第１の記録パワー設定手段における試し書きによる記録パワーの設定は、ＯＰＣ（Ｏｐｔｉｍｕｍ　Ｐｏｗｅｒ　Ｃａｌｉｂｒａｔｉｏｎ）方式が採用されていることを特徴とする請求項１記載の光ディスク装置。
【請求項６】
前記第１または第２の記録パワー設定手段によって設定された記録パワーに基づいて、前記光ディスクにデータ記録を行ないながら前記記録パワーの制御を行なう記録パワー制御手段を具備してなることを特徴とする請求項１記載の光ディスク装置。
【請求項７】
前記記録パワー制御手段による記録パワーの制御を行なっても高速記録の安定性が維持できない場合、自動的に高速記録速度を下げることを特徴とする請求項６記載の光ディスク装置。
【請求項８】
光ディスクに対して複数種類の高速記録速度から選定した高速記録速度でのデータ記録を行なう光ディスク装置の記録パワー制御方法において、
前記複数種類の高速記録速度のうち第１の高速記録速度での試し書きによる記録パワーの設定を行なう第１の工程と、
この第１の工程の後、前記複数種類の高速記録速度のうち前記第１の高速記録速度以外の第２の高速記録速度での前記光ディスクに対するデータ記録が要求された状態で、前記第１の工程で設定された記録パワーに、前記第１の高速記録速度から前記第２の高速記録速度に切り替えることに対応させて予め設定された係数を乗算し、前記第２の高速記録速度における記録パワーの設定を行なう第２の工程とを有することを特徴とする光ディスク装置の記録パワー制御方法。
【請求項９】
前記第２の工程の後、設定された記録パワーに基づいて前記光ディスクにデータ記録を行ないながら前記記録パワーの制御を行なう第３の工程を有することを特徴とする請求項８記載の光ディスク装置の記録パワー制御方法。
【請求項１０】
前記第３の工程による記録パワーの制御を行なっても高速記録の安定性が維持できない場合、自動的に高速記録速度を下げる第４の工程を有することを特徴とする請求項９記載の光ディスク装置の記録パワー制御方法。
【発明の詳細な説明】
【０００１】
【発明の属する技術分野】
この発明は、光ディスクに対してデータの記録再生を行なう光ディスク装置とその記録パワー制御方法に関する。
【０００２】
【従来の技術】
周知のように、近年では、例えばＣＤ（Ｃｏｍｐａｃｔ　Ｄｉｓｋ）−Ｒ（Ｒｅｃｏｒｄａｂｌｅ）やＤＶＤ（Ｄｉｇｉｔａｌ　Ｖｅｒｓａｔｉｌｅ　Ｄｉｓｋ）−Ｒ等のように、データの記録再生が可能な光ディスクが開発され実用化されている。
【０００３】
一方、この種の光ディスクにデータの記録再生を行なう光ディスク装置には、標準記録速度の数倍から十数倍の速度でデータを記録することが可能な高速記録機能が備えられている。
【０００４】
この高速記録機能は、例えば標準記録速度の４倍、８倍、１２倍及び１６倍等のように、予め設定された複数の高速記録速度の中から、ユーザが所望の速度を選定することによって実行される。
【０００５】
ところで、このような高速記録機能を備えた光ディスク装置では、ユーザによって所定の高速記録速度が選定された場合、まず、その高速記録速度で光ディスクに試し書きを行なって、記録パワーを最適な状態に制御している。
【０００６】
このような試し書きによる記録パワーの制御は、実際には非常に複雑な処理を要することになるが、現状では、ＯＰＣ（Ｏｐｔｉｍｕｍ　Ｐｏｗｅｒ　Ｃａｌｉｂｒａｔｉｏｎ）方式が広く採用されている。
【０００７】
この〇ＰＣ方式は、簡単に言えば、光ディスク上に予め設定された試し書き領域（ＰＣＡ：Ｐｏｗｅｒ　Ｃａｌｉｂｒａｔｉｏｎ　Ａｒｅａ）に、極性反転間隔の異なる複数種類の試し書き用データを、記録パワーを段階的に変えながらそれぞれ記録する。
【０００８】
そして、光ディスクから、記録パワーを段階的に変えながら記録された各種類の試し書き用データを再生し、それらのアシンメトリがほぼ“０”となる記録パワーを、その高速記録速度における最適な記録パワーとするものである。
【０００９】
【発明が解決しようとする課題】
しかしながら、上記のような光ディスク装置では、装着されている光ディスクに対して、ユーザが新規な高速記録速度を選定する毎に、上述した記録パワーの制御が行なわれる。
【００１０】
このため、ユーザが新たな高速記録速度を選定した場合には、その高速記録速度での記録パワーの制御が完了するまでは、本来のユーザデータ記録ができないことになり、ユーザにとって使い勝手が不便になるという問題が生じる。
【００１１】
そこで、この発明は上記事情を考慮してなされたもので、装着されている光ディスクに対して所定の高速記録速度での試し書きによる記録パワーの制御が行なわれていれば、新規な高速記録速度を選定した場合にその速度での試し書きによる記録パワーの制御を省略することを可能とし、ユーザにとっての使い勝手を便利にし得る極めて良好な光ディスク装置とその記録パワー制御方法を提供することを目的とする。
【００１２】
【課題を解決するための手段】
この発明に係る光ディスク装置は、光ディスクに対して複数種類の高速記録速度から選定した高速記録速度でのデータ記録を行なうものを対象としている。そして、複数種類の高速記録速度のうち第１の高速記録速度での試し書きによる記録パワーの設定を行なう第１の記録パワー設定手段と、複数種類の高速記録速度のうち第１の高速記録速度以外の第２の高速記録速度での光ディスクに対するデータ記録が要求された状態で、第１の記録パワー設定手段で設定された記録パワーに、第１の高速記録速度から第２の高速記録速度に切り替えることに対応させて予め設定された係数を乗算し、第２の高速記録速度における記録パワーの設定を行なう第２の記録パワー設定手段とを備えるようにしたものである。
【００１３】
また、この発明に係る光ディスク装置の記録パワー制御方法は、光ディスクに対して複数種類の高速記録速度から選定した高速記録速度でのデータ記録を行なう方法を対象としている。そして、複数種類の高速記録速度のうち第１の高速記録速度での試し書きによる記録パワーの設定を行なう第１の工程と、この第１の工程の後、複数種類の高速記録速度のうち第１の高速記録速度以外の第２の高速記録速度での光ディスクに対するデータ記録が要求された状態で、第１の工程で設定された記録パワーに、第１の高速記録速度から第２の高速記録速度に切り替えることに対応させて予め設定された係数を乗算し、第２の高速記録速度における記録パワーの設定を行なう第２の工程とを有するようにしたものである。
【００１４】
上記のような構成及び方法によれば、第１の高速記録速度における記録パワーを試し書きによって設定し、第２の高速記録速度でのデータ記録が要求されたときには、第１の高速記録速度における記録パワーに、予め設定された係数を乗算して、第２の高速記録速度における記録パワーを設定するようにしたので、ユーザが新たな高速記録速度を選定する毎に、試し書きによる記録パワーの設定を行なわなくても済むようになるため、ユーザにとっての使い勝手を便利にすることができる。
【００１５】
【発明の実施の形態】
以下、この発明の実施の形態について、図面を参照して詳細に説明する。すなわち、図１は、この実施の形態で説明する高速記録機能を備えた光ディスク装置の全体的な構成を示している。
【００１６】
この光ディスク装置は、例えばＣＤ−Ｒ、ＣＤ−ＲＷ（Ｒｅｗｒｉｔａｂｌｅ）、ＤＶＤ−Ｒ及びＤＶＤ−ＲＡＭ（Ｒａｎｄｏｍ　Ａｃｃｅｓｓ　Ｍｅｍｏｒｙ）等の光ディスク１１に対して、データの記録再生を行なうものである。
【００１７】
この光ディスク１１は、スピンドルモータ１２によって回転駆動される。このスピンドルモータ１２は、モータ制御回路１３によって、その回転速度が制御されている。
【００１８】
また、上記光ディスク１１に対向して光ヘッド１４が設置されている。この光ヘッド１４は、光ディスク１１のトラッキング方向に移動可能に支持され、光ディスク１１に対してデータの記録再生を実行する。
【００１９】
この光ヘッド１４は、スレッドモータ１５の回転駆動力により、光ディスク１１のトラッキング方向に移動される。このスレッドモータ１５は、スレッドモータ制御回路１６によって、その回転方向及び回転速度が制御されている。
【００２０】
さらに、この光ヘッド１４は、その移動速度が速度検出器１７によって検出されている。そして、この速度検出器１７から出力される速度信号が、スレッドモータ制御回路１６に供給されてスレッドモータ１５の回転制御に供される。
【００２１】
また、この光ヘッド１４は、半導体レーザ１８を備えている。この半導体レーザ１８は、レーザ制御回路１９の制御により、照射するレーザ光の光量が制御される。
【００２２】
すなわち、レーザ制御回路１９は、光ディスク１１へのデータ記録時には、半導体レーザ１８をその発光量（記録パワー）が記録に適した値となるように制御する。
【００２３】
また、この場合、レーザ制御回路１９は、変調回路２０から出力されるＥＦＭ（Ｅｉｇｈｔ　ｔｏ　Ｆｏｕｒｔｅｅｎ　Ｍｏｄｕｌａｔｉｏｎ）データに基づいて、半導体レーザ１８を発光状態と非発光状態とに制御している。
【００２４】
この変調回路２０は、ホスト装置２１からインターフェース回路２２及びバスライン２３を介して供給されるユーザデータをＥＦＭ変調して、記録のためのＥＦＭデータを生成している。
【００２５】
また、このレーザ制御回路１９は、光ディスク１１からのデータ再生時には、半導体レーザ１８を記録時よりも低い一定の再生用の発光量で発光させるように制御している。
【００２６】
なお、この半導体レーザ１８は、その発光量がフロントモニタ２４によって検知され、レーザ制御回路１９にフィードバックされている。これにより、半導体レーザ１８の発光量が、記録再生時にそれぞれ所定値に保持される。
【００２７】
ここで、上記半導体レーザ１８から照射されたレーザ光は、コリメータレンズ２５、ハーフプリズム２６及び対物レンズ２７を介して、光ディスク１１上に集光される。
【００２８】
そして、光ディスク１１で反射されたレーザ光は、対物レンズ２７、ハーフプリズム２６、集光レンズ２８及びシリンドリカルレンズ２９を介して、光検出器３０に受光される。
【００２９】
この光検出器３０は、４つの光電変換セル３０ａ，３０ｂ，３０ｃ，３０ｄを有する。これら光電変換セル３０ａ〜３０ｄの各出力信号は、それぞれ、電流／電圧変換用の増幅器３１ａ，３１ｂ，３１ｃ，３１ｄに供給されている。
【００３０】
このうち、増幅器３１ａ，３１ｃの各出力は、加算器３２ａで加算される。また、増幅器３１ｂ，３１ｄの各出力は、加算器３２ｂで加算される。そして、これら加算器３２ａ，３２ｂの各出力が、演算増幅器３３ａに供給される。
【００３１】
この演算増幅器３３ａは、加算器３２ｂの出力から加算器３２ａの出力を減算することにより、対物レンズ２７に対するフォーカスエラー信号ＦＥを生成している。
【００３２】
このフォーカスエラー信号ＦＥは、フォーカス制御回路３４を介して対物レンズ２７をフォーカス方向に駆動させるためのフォーカス駆動コイル３５に供給され、ここに、対物レンズ２７に対するフォーカス制御が行なわれる。
【００３３】
また、上記増幅器３１ａ，３１ｄの各出力は、加算器３２ｃで加算される。さらに、増幅器３１ｂ，３１ｃの各出力は、加算器３２ｄで加算される。そして、これら加算器３２ｃ，３２ｄの各出力が、演算増幅器３３ｂに供給される。
【００３４】
この演算増幅器３３ｂは、加算器３２ｄの出力から加算器３２ｃの出力を減算することにより、対物レンズ２７に対するトラッキングエラー信号ＴＥを生成している。
【００３５】
このトラッキングエラー信号ＴＥは、トラッキング制御回路３６を介して対物レンズ２７をトラッキング方向に駆動させるためのトラッキング駆動コイル３７に供給され、対物レンズ２７に対するトラッキング制御が行なわれる。
【００３６】
さらに、このトラッキング制御回路３６から出力されるトラッキング駆動信号は、上記スレッドモータ制御回路１６に供給され、対物レンズ２７のトラッキング制御に応じて、光ヘッド１４の位置が制御されるようになっている。
【００３７】
また、上記増幅器３２ｃ，３２ｄの各出力は、加算器３２ｅで加算される。この加算器３２ｅの出力は、光ディスク１１に記録されたデータに対応するＲＦ（Ｒａｄｉｏ　Ｆｒｅｑｕｅｎｃｙ）信号となる。
【００３８】
このＲＦ信号は、データ再生回路３８及びランニングＯＲＣ制御回路３９に供給される。データ再生回路３８は、入力されたＲＦ信号をＰＬＬ（Ｐｈａｓｅ　Ｌｏｃｋｅｄ
Ｌｏｏｐ）回路４０で生成されたビット同期クロックに基づいて復調する。
【００３９】
そして、このデータ再生回路３８で復調されたデータは、エラー訂正回路４１によってエラー訂正処理が施された後、アナログの再生信号に変換され、映像表示や音声再生に供される。
【００４０】
また、上記ランニングＯＰＣ制御回路３９は、光ディスク１１にユーザデータを記録しながら記録パワーの制御を行なう、いわゆるランニングＯＰＣの実行時に機能される。
【００４１】
すなわち、ランニングＯＰＣ制御回路３９は、ランニングＯＰＣの実行時に、ＲＦ信号の振幅レベルから反射光量を検知し、その検知結果に基づいて半導体レーザ１８の発光量（記録パワー）を適切な値となるように制御している。
【００４２】
ここで、上記モータ制御回路１３、スレッドモータ制御回路１６、変調回路２０、レーザ制御回路１９、フォーカス制御回路３４、トラッキング制御回路３６、データ再生回路３８、ランニングＯＰＣ制御回路３９及びＰＬＬ回路４０は、バスライン２３を介してＣＰＵ（Ｃｅｎｔｒａｌ　Ｐｒｏｃｅｓｓｉｎｇ　Ｕｎｉｔ）４２により制御されている。
【００４３】
このＣＰＵ４２は、ホスト装置２１からインターフェース回路２２を介して供給される、あるいは、図示しないリモートコントローラ等の操作部から供給される動作コマンドに基づいて、例えば、光ディスク１１に対するユーザデータの記録再生（高速も含む）動作、ＯＰＣ方式での試し書きによる記録パワーの制御動作、ランニングＯＰＣよる記録パワーの制御動作等、光ディスク装置の各種の動作を統括的に制御している。
【００４４】
この場合、このＣＰＵ４２は、ＲＡＭ４３を作業エリアとして使用し、ＲＯＭ（Ｒｅａｄ　Ｏｎｌｙ　Ｍｅｍｏｒｙ）４４に格納された制御プログラムに基づいて各種の動作を制御している。また、このＲＯＭ４４は、光ディスク装置を各種の動作状態に制御する際に必要とされる各種の設定値の格納にも使用されている。
【００４５】
上記のような構成となされた光ディスク装置において、以下、その記録パワーの制御動作について説明する。すなわち、この光ディスク装置では、装着された光ディスク１１に対して、所定の高速記録速度Ｓｉでユーザデータを記録させる動作コマンドを受けた場合、まず、通常通りに、光ディスク１１の試し書き領域にＯＰＣ方式による試し書きを行ない、その高速記録速度Ｓｉでの最適な記録パワーＰ（Ｓｉ）を設定する。
【００４６】
この設定された記録パワーＰ（Ｓｉ）は、ＲＡＭ４３に記録される。以後、この光ディスク１１が光ディスク装置に装着されている限りは、高速記録速度Ｓｉでの記録動作が要求された場合には、ＲＡＭ４３に記録された記録パワーＰ（Ｓｉ）での記録動作が行なわれる。
【００４７】
このように、所定の高速記録速度Ｓｉでの最適な記録パワーＰ（Ｓｉ）が設定されている状態で、同じ光ディスク１１に対して他の高速記録速度Ｓｊでの記録動作が要求されたとする。
【００４８】
この場合、光ディスク装置では、新たな高速記録速度Ｓｊに対して試し書きによる記録パワーの制御を行なわず、最初に求めた高速記録速度Ｓｉでの最適記録パワーＰ（Ｓｉ）に、高速記録速度Ｓｉから高速記録速度Ｓｊに切り替えることに対応して予め設定された所定の係数Ｆ（Ｓｉ，Ｓｊ）を乗算した値、つまり、
Ｆ（Ｓｉ，Ｓｊ）×Ｐ（Ｓｉ）＝Ｐ（Ｓｊ）　　…　（１）
を、新たな高速記録速度Ｓｊにおける最適な記録パワーＰ（Ｓｊ）として設定する。
【００４９】
この設定された記録パワーＰ（Ｓｊ）は、ＲＡＭ４３に記録される。以後、この光ディスク１１が光ディスク装置に装着されている限りは、高速記録速度Ｓｊでの記録動作が要求された場合には、ＲＡＭ４３に記録された記録パワーＰ（Ｓｊ）での記録動作が行なわれる。
【００５０】
このように、この光ディスク装置では、最初に所定の高速記録速度Ｓｉでの最適記録パワーＰ（Ｓｉ）を試し書きによって設定しておき、他の高速記録速度Ｓｊでの記録が要求された場合には、高速記録速度Ｓｉでの最適記録パワーＰ（Ｓｉ）に、予め設定された係数Ｆ（Ｓｉ，Ｓｊ）を乗算することにより、新規の高速記録速度Ｓｊでの最適記録パワーＰ（Ｓｊ）を得るようにしている。
【００５１】
ここで、上記係数Ｆ（Ｓｉ，Ｓｊ）は、試し書きによって最適記録パワーＰ（Ｓｉ）が設定された高速記録速度Ｓｉに対する、新たに高速記録を行なう速度Ｓｊの倍率（Ｓｊ／Ｓｉ）をα（０＜α＜１）乗したものとして予め設定され、ＲＯＭ４４に格納されている。
【００５２】
すなわち、記録パワーをＰ、記録速度をＸとし、
Ｐ∝Ｘα
とすると、記録速度の増加に対する記録パワーの増率を低くすることができ、半導体レーザに対する負荷（またはストレス）を小さくすることができるため、
寿命が延びる利点がある。
【００５３】
図２は、高速記録速度として標準記録速度の４倍、８倍、１２倍及び１６倍の４種類が設定されている光ディスク装置において、α＝１／２とした場合の、試し書きによって最適記録パワーが設定されている高速記録速度Ｓｉから、他の高速記録速度Ｓｊでの記録に切り替えられた場合に使用する係数Ｆ（Ｓｉ，Ｓｊ）の一覧テーブルを示している。
【００５４】
例えば、高速記録速度として標準記録速度の４倍速時における最適記録パワーＰＳ４が試し書きによって設定されているとすると、標準記録速度の１２倍速での高速記録が要求された場合、係数は
（１２／４）１／２＝３１／２
となるので、最適記録パワーは、
３１／２×ＰＳ４
となる。
【００５５】
上記した実施の形態によれば、所定の高速記録速度Ｓｉにおける最適記録パワーＰ（Ｓｉ）を試し書きによって設定し、新たな高速記録速度Ｓｊでの記録が要求されたときには、高速記録速度Ｓｉにおける最適記録パワーＰ（Ｓｉ）に予め設定された係数Ｆ（Ｓｉ，Ｓｊ）を乗算して、新規な高速記録速度Ｓｊにおける最適記録パワーＰ（Ｓｊ）を求めるようにしている。
【００５６】
すなわち、ユーザが新たな高速記録速度を選定する毎に、試し書きによる最適記録パワーの設定を行なわなくても済むようにしたので、ユーザにとっての使い勝手を便利にすることができる。
【００５７】
なお、各高速記録速度における記録パワーに関する条件（上記した係数）以外の条件（例えば、半導体レーザ１８に与える駆動パルスの時間軸の設定値、駆動パルスがマルチレベルパルスである場合は各レベルの強度比等）も、ＲＯＭ４４に格納されている。
【００５８】
この場合、記録パワーに関する条件（上記した係数）以外の条件として、ｎ個のパラメータがある場合には、各高速記録速度Ｓｉ毎にｎ個のパラメータを対応させた、Ｗ（ｉ，１）、Ｗ（ｉ，２）、……、Ｗ（ｉ，ｋ）、……、Ｗ（ｉ，ｎ）なるテーブルがＲＯＭ４４に格納される。
【００５９】
また、試し書き時に、同じ極性反転間隔の試し書き用データに対して、段階的に変化させる記録パワーのうちの最低の記録パワー、段階的に記録パワーを増加させる際のステップ幅、試し書きを行なう回数等の条件も、ＲＯＭ４４に格納されている。
【００６０】
例えば、高速記録速度Ｓｉの場合、最低の記録パワーをＬｉ、ステップ幅を速度によらず１０％、試し書き回数を速度によらず５回とすると、光ディスク装置は、
［Ｌｉ×１．０、Ｗ（ｉ，ｋ）］
［Ｌｉ×１．１、Ｗ（ｉ，ｋ）］
［Ｌｉ×１．２、Ｗ（ｉ，ｋ）］
［Ｌｉ×１．３、Ｗ（ｉ，ｋ）］
［Ｌｉ×１．４、Ｗ（ｉ，ｋ）］
なる５条件で、１フレーム（ＣＤ−Ｒのアドレスの最小単位：７５フレームが１秒）づつ、３Ｔ〜１１Ｔ（Ｔはビット同期クロックの周期）のランダムパターンで試し書き用のデータを記録し、記録後のアシンメトリを計測して内挿／外挿処理によりアシンメトリがほぼ“０”となる記録パワーＰ（Ｓｉ）を算出する。
【００６１】
そして、高速記録速度Ｓｊでユーザデータを記録する場合には、光ディスク装置は、速度Ｓｊでの試し書きを行なうことなく、速度Ｓｉで算出した最適記録パワーＰ（Ｓｉ）に係数Ｆ（Ｓｉ，Ｓｊ）を乗算した記録パワーと、高速記録速度Ｓｊにおける記録パワー以外の条件Ｗ（ｊ，ｋ）とに基づいて、つまり、
［ＰＳｉ×Ｆ（Ｓｉ，Ｓｊ）、Ｗ（ｊ，ｋ）］
に基づいて、記録動作を実行する。
【００６２】
また、この高速記録状態で速度をＳｍに切り替えた場合には、光ディスク装置は、速度Ｓｊでの試し書きを行なうことなく、
［Ｐ（Ｓｉ）×Ｆ（Ｓｉ，Ｓｍ）、Ｗ（ｍ，ｋ）］
に基づいて、記録を実行することになる。
【００６３】
ここで、例えば、高速記録速度として標準記録速度の１６倍である最高速度が選定された場合、光ディスク１１によっては、その反りや偏心等の影響により、特に外周部分において、一定レベル以上での高速記録の安定性が維持できなくなる可能性が生じる。
【００６４】
この光ディスク装置では、前述したランニングＯＰＣにより高速記録中でも最適な記録パワーが得られるように常時制御している。この場合は、前述した記録パワーＰ（Ｓｉ）は、
Ｐ（Ｓｉ）＝Ｐｔｉ＝０（Ｓｉ）＋ΔＰｒｏｐｃ（ｔｉ）　　…　（２）で定義される。ただし、Ｐｔｎ＝０（Ｓｎ）（ｎ＝１，２，…，ｉ，…）は、速度Ｓｎでのユーザデータ記録開始時の記録パワーを意味する。
【００６５】
ランニングＯＰＣによる記録パワーの増加分ΔＰｒｏｐｃ（ｔｎ）は時間ｔｎの関数であり、ｔｎはＯＰＣ後あるいは速度切り替え後のユーザデータ記録時間であり、ΔＰｒｏｐｃ（０）＝０である。
【００６６】
ここで、前述した（１）式を上記（２）式を用いて書き替えると、
2004005834.tif 000003
となる。ｔｊは速度がＳｊに切り替わった後の経過時間であり、ｔｉは速度Ｓｉで記録した時間を示している。
【００６７】
なお、ランニングＯＰＣを行なっても高速記録の安定性が維持できなくなったことが検知された場合には、光ディスク装置は、自動的に記録速度を１段階下げるように制御する。
【００６８】
そして、このように、記録速度が自動的に１段階下げられた状態でも、新たな記録速度における最適な記録パワーは演算によって得られるため、試し書きによる記録パワーの制御を行なわなくて済むので、ユーザデータの記録を中断しなくて済むという利点がある。
【００６９】
なお、この発明は上記した実施の形態に限定されるものではなく、この外その要旨を逸脱しない範囲で種々変形して実施することができる。
【００７０】
【発明の効果】
以上詳述したようにこの発明によれば、装着されている光ディスクに対して所定の高速記録速度での試し書きによる記録パワーの制御が行なわれていれば、新規な高速記録速度を選定した場合にその速度での試し書きによる記録パワーの制御を省略することを可能とし、ユーザにとっての使い勝手を便利にし得る極めて良好な光ディスク装置とその記録パワー制御方法を提供することができる。
【図面の簡単な説明】
【図１】
この発明の実施の形態を示すもので、高速記録機能を備えた光ディスク装置を説明するために示すブロック構成図。
【図２】
同実施の形態における高速記録速度の切り替え時に最適記録パワーを算出するための係数の一例を説明するために示す図。
【符号の説明】
１１…光ディスク、
１２…スピンドルモータ、
１３…モータ制御回路、
１４…光ヘッド、
１５…スレッドモータ、
１６…スレッドモータ制御回路、
１７…速度検出器、
１８…半導体レーザ、
１９…レーザ制御回路、
２０…変調回路、
２１…ホスト装置、
２２…インターフェース回路、
２３…バスライン、
２４…フロントモニタ、
２５…コリメータレンズ、
２６…ハーフプリズム、
２７…対物レンズ、
２８…集光レンズ、
２９…シリンドリカルレンズ、
３０…光検出器、
３１ａ〜３１ｄ…増幅器、
３２ａ〜３２ｅ…加算器、
３３ａ，３３ｂ…演算増幅器、
３４…フォーカス制御回路、
３５…フォーカス駆動コイル、
３６…トラッキング制御回路、
３７…トラッキング駆動コイル、
３８…データ再生回路、
３９…ランニングＯＰＣ制御回路、
４０…ＰＬＬ回路、
４１…エラー訂正回路、
４２…ＣＰＵ、
４３…ＲＡＭ、
４４…ＲＯＭ。
【図１】
2004005834.tif 000004
【図２】
2004005834.tif 000005